(57)【要約】  指紋画像変換装置は、指の３次元画像を取得し、当該３次元画像を、当該指の指紋部分を展開した２次元画像に変換する画像変換手段１３を備えたことを特徴とする。
2014136369.tif 000002
【特許請求の範囲】
【請求項１】
指の３次元画像を取得し、当該３次元画像を、当該指の指紋部分を展開した２次元画像に変換する画像変換手段を備えた
ことを特徴とする指紋画像変換装置。
【請求項２】
画像変換手段は、指の長手方向に第１の軸を設定し、当該第１の軸と直交する第２の軸を設定し、当該第２の軸の方向に２次元画像を伸ばすことにより、２次元画像を予め定められた形状の２次元画像に整形する
請求項１記載の指紋画像変換装置。
【請求項３】
画像変換手段は、第２の軸の方向と略平行に２次元画像を切断することにより、前記２次元画像を複数の帯状部分に分割し、前記帯状部分にそれぞれ伸び率を設定し、伸張後の前記帯状部分における前記第２の軸方向の座標の値が、伸張前の前記帯状部分における前記第２の軸方向の座標の値に前記伸び率を乗算した値になるように前記帯状部分を伸ばす
請求項２記載の指紋画像変換装置。
【請求項４】
画像変換手段は、第２の軸の方向に最も長い帯状部分から指先方向への距離が遠い帯状部分ほど、大きい伸び率を設定する
請求項３記載の指紋画像変換装置。
【請求項５】
画像変換手段は、指先方向側の辺が凹んだ形状となるように２次元画像を整形する
請求項２から請求項４のうちのいずれか１項に記載の指紋画像変換装置。
【請求項６】
画像変換手段は、３次元画像を、指の指紋部分を展開した２次元画像に変換する際に、当該２次元画像を、予め定められた形状の２次元画像に変換する
請求項２から請求項５のうちのいずれか１項に記載の指紋画像変換装置。
【請求項７】
指紋部分の法線方向の凹凸の高さに基づいて、２次元画像に陰影を付加する凹凸画像化手段を備えた
請求項１から請求項６のうちのいずれか１項に記載の指紋画像変換装置。
【請求項８】
請求項１から請求項７のうちのいずれか１項に記載の指紋画像変換装置と、
変換された２次元画像を表示する出力手段と、
前記２次元画像と照合対象の２次元指紋画像とを照合する照合手段とを備えた
ことを特徴とする指紋画像変換システム。
【請求項９】
指の３次元画像を取得し、当該３次元画像を、当該指の指紋部分を展開した２次元画像に変換する
ことを特徴とする指紋画像変換方法。
【請求項１０】
指の長手方向に第１の軸を設定し、当該第１の軸と直交する第２の軸を設定し、当該第２の軸の方向に２次元画像を伸ばすことにより、２次元画像を予め定められた形状の２次元画像に整形する
請求項９記載の指紋画像変換方法。
【請求項１１】
コンピュータに、
指の３次元画像を取得し、当該３次元画像を、当該指の指紋部分を展開した２次元画像に変換する画像変換処理を
実行させるための指紋画像変換プログラム。
【請求項１２】
コンピュータに、
画像変換処理で、指の長手方向に第１の軸を設定し、当該第１の軸と直交する第２の軸を設定し、当該第２の軸の方向に２次元画像を伸ばすことにより、２次元画像を予め定められた形状の２次元画像に整形する処理を実行させる
請求項１１記載の指紋画像変換プログラム。
【発明の詳細な説明】
【技術分野】
【０００１】
本発明は、指紋画像の形式を変換する指紋画像変換装置、指紋画像変換システム、指紋画像変換方法および指紋画像変換プログラムに関する。
【背景技術】
【０００２】
一般的に、指紋の採取方法として、プラテンと呼ばれる平たいガラス板に押し当てられた指を裏面から撮影することで、２次元の画像として採取する方法などが用いられる。採取には大きく二つの方法がある。指紋を採取される対象者が、単に指の腹を押し当てて指紋画像を撮影する方法と、指を片方の側面からもう片方の側面へ１８０度程度回転させることにより、指紋全体を採取する方法である。以下では、後者の方法で採取した指紋の２次元画像を２次元ロール指紋という。【０００３】
例えば、犯罪捜査等において現場に遺留した指紋は、２次元の指紋しか取得できない。指紋のどの部分が遺留したとしても照合できるようにするために、２次元ロール指紋が用いられる。しかし、２次元ロール指紋を採取するときに回転がうまくいかず指がスリップする場合や、無理な力を込めてプラテンに指を押し付けることで皮膚等軟部組織が大きく歪む場合がある。結果として、指紋の特徴がわからなくなる、ずれる、うまく照合できないという問題が生じる。従って、２次元ロール指紋採取に習熟したエキスパートの補助が必要不可欠であるという課題がある。【０００４】
そこで、指紋を３次元画像として採取する技術が用いられている。例えば、特許文献１および特許文献２には、指紋を３次元スキャナにより３次元画像として採取することで、指紋全体を取得する技術が開示されている。
【先行技術文献】
【特許文献】
【０００５】
【特許文献１】米国特許出願公開第２００６／００４５３１６号明細書
【特許文献２】米国特許出願公開第２００６／０２３３４２７号明細書
【発明の概要】
【発明が解決しようとする課題】
【０００６】
しかし、指紋を３次元画像として採取する場合、指紋全体の情報は得られているものの、取得した２次元の遺留指紋とそのまま照合することができないという課題がある。【０００７】
そこで、本発明は、３次元画像として採取した指紋を、２次元の指紋と照合することができる指紋画像変換装置、指紋画像変換システム、指紋画像変換方法および指紋画像変換プログラムを提供することを目的とする。
【課題を解決するための手段】
【０００８】
本発明による指紋画像変換装置は、指の３次元画像を取得し、当該３次元画像を、当該指の指紋部分を展開した２次元画像に変換する画像変換手段を備えたことを特徴とする。【０００９】
本発明による指紋画像変換システムは、指紋画像変換装置と、変換された２次元画像を表示する出力手段と、前記２次元画像と照合対象の２次元指紋画像とを照合する照合手段とを備えたことを特徴とする。【００１０】
本発明による指紋画像変換方法は、指の３次元画像を入力し、当該３次元画像を、当該指の指紋部分を展開した２次元画像に変換することを特徴とする。【００１１】
本発明による指紋画像変換プログラムは、コンピュータに、指の３次元画像を入力し、当該３次元画像を、当該指の指紋部分を展開した２次元画像に変換する２次元画像化処理を実行させることを特徴とする。
【発明の効果】
【００１２】
本発明によれば、３次元画像として採取した指紋を、２次元の指紋と照合することができる。
【図面の簡単な説明】
【００１３】
【図１】本発明による指紋画像変換装置の第１の実施形態の構成を示すブロック図である。
【図２】本発明による指紋画像変換装置の第１の実施形態の動作を示すフローチャートである。
【図３】指紋の撮影状況を示す説明図である。
【図４】指紋部分を展開した２次元画像を示す説明図である。
【図５】指の３次元画像の指紋の切断方法の例を示す説明図である。
【図６】指の３次元画像の指紋の切断方法の別の例を示す説明図である。
【図７】２次元画像の整形イメージを示す説明図である。
【図８】整形後の指紋部分を含む２次元画像を示す説明図である。
【図９】指先側の中心付近が凹んだ形状の２次元画像を示す説明図である。
【図１０】指の指紋部分の一部の断面図である。
【図１１】陰影が付加された２次元画像の指紋の一部分を示す説明図である。
【図１２】本発明による指紋画像変換システムの第２の実施形態の構成を示すブロック図である。
【図１３】本発明による指紋画像変換システムの第２の実施形態の動作を示すフローチャートである。
【図１４】本発明による指紋画像変換装置の主要部の構成を示すブロック図である。
【発明を実施するための形態】
【００１４】
実施形態１．
以下、本発明による指紋画像変換装置の第１の実施形態（実施形態１）を、図面を用いて説明する。
【００１５】
図１は、第１の実施形態の指紋画像変換装置の構成を示すブロック図である。図１に示すように、本実施形態の指紋画像変換装置は、３次元画像化部２と、画像変換部３と、凹凸画像化部５とを備える。３次元画像化部２、画像変換部３、および凹凸画像化部５は、例えば、特定の演算処理等を行うよう設計されたハードウェア、またはプログラムに従って動作するＣＰＵ（Ｃｅｎｔｒａｌ  Ｐｒｏｃｅｓｓｉｎｇ  Ｕｎｉｔ）等の情報処理装置によって実現される。
【００１６】
３次元画像化部２は、入力対象の指を撮影した３Ｄスキャナ等から３次元画像情報を取得し、３次元画像を生成する。３次元画像は、入力対象の指の３次元形状を示す画像であり、例えば３次元座標値が三角メッシュで示される。また、３次元画像は、例えばテクスチャ画像等の物体表面のテクスチャ表現を伴うこともある。
【００１７】
画像変換部３は、指紋を含む指の３次元画像を取得し、指の指紋部分を展開した２次元画像に変換する。
【００１８】
また、画像変換部３は、変換した２次元画像を予め定められた形状の２次元画像に整形する。画像変換部３は、具体的には、まず入力対象の指の指紋を複数の帯状部分に切断する。そして、画像変換部３は、帯状部分毎に異なる伸び率を用いて、帯状部分を伸ばす。この伸び率は、目標とする画像展開後の２次元形状に応じて定められる。
【００１９】
凹凸画像化部５は、３次元形状の凹凸の差分に基づいて、画像変換部３が出力した画像に陰影を付加する。具体的には、凹凸画像化部５は、指の表面の凹凸のある基準点からの高さに応じて、陰影の濃さを決定し、その陰影を画像変換部３が出力した画像に付加する。
【００２０】
次に本実施形態の指紋画像変換装置の動作を説明する。図２は、第１の実施形態の指紋画像変換装置の動作を示すフローチャートである。図３は、指紋の撮影状況を示す説明図である。図３に示すように、例えば３台の３Ｄスキャナが複数の方向から指を撮影する。
【００２１】
３次元画像化部２は、入力対象の指を撮影した３Ｄスキャナ等から３次元画像情報を取得し、３次元画像を生成する（ステップＳ２）。３次元画像とは、入力対象の指の３次元形状を示す画像であり、例えば三角メッシュで表現される。また、３次元画像は、テクスチャ等の表現を伴うこともある。
【００２２】
画像変換部３は、指紋を含む指の３次元画像を取得し、指の指紋部分を展開した２次元画像に変換する（ステップＳ３）。３次元画像を２次元画像に変換する方法としては、様々な方法が考えられる。例えば、画像変換部３は、３次元画像の３次元座標値が三角メッシュで表される場合、指の長手方向の任意の軸を設定し、その軸を中心にメッシュを構成する三角形上の各線各位置における３次元座標値を２次元に展開する。３次元画像がもしテクスチャも含む場合は、各位置に対応するテクスチャ値を２次元に展開する。両方が存在する場合は、画像変換部３は、両方の値を展開してもよい。
【００２３】
または、画像変換部３は、３次元画像の周囲に円柱、または円錐等の図形を配置し、指の長手方向に任意の軸を設定する。そして、画像変換部３は、その軸を中心に３次元画像を円柱または円錐等の図形に投影し、その図形を展開することにより２次元画像を生成してもよい。
【００２４】
また、画像変換部３は、メルカトル図法のように３次元画像を中心点から円柱に投影する展開方法により２次元画像を生成してもよい。しかし、このような方法を用いた場合、赤道付近と赤道から遠い点ではＸ軸方向およびＺ軸方向ともに伸び率が大きく異なり調整も困難であった。指紋の照合では、特徴点を利用して照合するため、座標値が重要であり、展開後の２次元画像を用いると、展開後の２次元画像の座標値が一般的な２次元ロール指紋の座標値と大きくずれ、照合率を下げてしまう。特にこの方法ではＺ軸方向にも伸びてしまうため、後述する画像整形処理において再度縮める処理をする必要がある。そのため、画像変換部３は、２次元画像化処理の際にＺ軸方向にも伸びないようにするために、上述したメッシュを展開する方法や軸を中心に投影する方法を用いることが好ましい。
【００２５】
しかし、このように展開された２次元画像は、一般的な２次元ロール指紋の形状と異なる場合がある。従って、２次元ロール指紋を目視でも確認する業務の場合、そのような２次元画像は、そのままでは使用しづらいという課題がある。また指紋の認証アルゴリズムは２次元ロール指紋でよく照合できるように構成されていることがあるため、一般的な認証方法よりも精度が落ちる可能性があるという課題がある。
【００２６】
画像変換部３は、変換した２次元画像を予め定められた形状（指紋認証の利用者が使用していた２次元ロール指紋の形状）の２次元画像に整形する。画像変換部３は、具体的には、まず入力対象の指の表面における指紋部分を複数の帯状部分に切断する（ステップＳ４）。図４は、指紋部分を展開した２次元画像を示す説明図である。図４におけるＺ軸は、指の長手方向に設定される軸であって、例えば指のほぼ中心部分を通るように定められる。また、Ｘ軸は、Ｚ軸と直交する軸であり、例えば指紋部分の下端を通るように設定される。図４に示す例では、画像変換部３は、２次元画像をＸ軸と略平行に切断することにより、指紋部分をｓ１１〜ｓ１７という７つの帯状部分に分割する。
【００２７】
また帯状部分のＺ軸方向の長さの設定方法の例について説明する。図５は、指の３次元画像の指紋の切断方法の例を示す説明図である。図６は、指の３次元画像の指紋の切断方法の別の例を示す説明図である。図５に示す例では、画像変換部３は、指の２次元画像を、Ｚ軸方向において等しい間隔ｈ１毎に、帯状部分に切断する。図６に示す例では、画像変換部３は、指の２次元画像を、指の表面において等しい間隔ｈ２毎に、帯状部分に切断する。
【００２８】
次に、画像変換部３は、切断された指紋部分の帯状部分を伸ばす整形処理を行う（ステップＳ５）。図７は、２次元画像の整形イメージを示す説明図である。図７における点線は、２次元画像のＸ軸方向の伸び率の大きさを示している。図７に示すように整形前の２次元画像はＺ軸方向の指先側が特に細い形状となっている。そして、２次元ロール指紋は、台形または長方形であることが多いため、指先側をＸ軸方向に特に伸ばす必要がある。
【００２９】
画像変換部３は、具体的には、帯状部分毎に異なる伸び率を設定し、帯状部分を伸ばす。この伸び率は、目標とする予め定められた２次元形状（指紋認証の利用者が使用していた２次元ロール指紋の形状）に応じて定められる。以下、画像変換部３が行う、帯状部分を伸ばす整形処理について図面を用いて具体的に説明する。
【００３０】
図８は、整形後の指紋部分を含む２次元画像を示す説明図である。図８に示す２次元画像は、目標とする２次元形状として台形が選択された場合の伸張後の２次元画像である。画像変換部３は、帯状部分を予め定められた伸び率を用いてＸ軸方向に伸ばす。具体的には、画像変換部３は、帯状部分に複数の点をプロットした場合、伸張後の各点のＸ座標の値が、伸張前の各点のＸ座標の値に伸び率を乗算した値になるように帯状部分を伸ばす。
【００３１】
画像変換部３は、入力した２次元画像の指紋部分が、伸張後に目標とする２次元形状となるように伸び率を設定する。図８に示す例では、最も長い帯状部分であるｓ１４を基準としており、ｓ１４の伸び率には１．０が設定されている。つまり、帯状部分ｓ１４は、変更されていない。そして、画像変換部３は、Ｘ軸方向に最も長い帯状部分（ｓ１４）から指先方向への距離が遠い帯状部分ほど、大きい伸び率を設定する。図８に示す例のｓ１１からｓ１４では、ｓ１１、ｓ１２、ｓ１３、ｓ１４という順に伸び率が大きい。なお、帯状部分のうち最も長い部分は、指によって異なり、必ずしも中心部分とは限らないため、基準とする帯状部分も指によって異なる。
【００３２】
画像変換部３は、伸び率として、帯状部分のＸ軸方向において異なる値を設定してもよい。例えば、中心部分、つまりＺ軸に近い部分では低い伸び率としてもよい。２次元ロール指紋は、指の側面部分においてずれや歪みが大きい場合がある。そのため、画像変換部３は、そのように伸び率を設定することにより、２次元に変換された指紋部分を２次元ロール指紋により近い形状にすることができる。
【００３３】
また、画像変換部３は、上記処理の後に、２次元画像をＺ軸方向と略平行に切断し複数の帯状部分に分割することにより、２次元画像をＸ軸方向だけではなくＺ軸方向にも伸ばしてもよい。ただし、一般的な２次元ロール指紋はＸ軸方向にのみ指を回転させることにより採取されるため、２次元画像を２次元ロール指紋の形状に近い形状に整形するために、画像変換部３は、２次元画像をＸ軸方向にのみ伸ばすことが好ましい。
【００３４】
目標とする画像展開後の２次元形状は台形とは限らず、長方形等様々な形状が考えられる。例えば、長方形で指先側の中心付近が凹んだ形状等であってもよい。図９は、上部の中心付近が凹んだ形状の２次元画像を示す説明図である。図９に示すように、画像変換部３は、例えば、最も指先側の帯状部分ｓ１１の指先側が凹んだ形状にする。具体的には、画像変換部３は、帯状部分ｓ１１をＺ軸方向と略平行な帯状部分に分割する。そして、画像変換部３は、その帯状部分の中心付近が最も短くなり、左右の端に近い部分が長くなるように縮ませる。いずれにしても、画像変換部３は、指紋認証の利用者が業務に使用していた２次元ロール指紋の形状に近い形状となるように２次元画像を整形する。
【００３５】
また、本実施形態の指紋画像変換装置は、画像変換部３が、２次元画像化の際に、２次元ロール指紋の形状に近い形状にする画像整形処理を行ってもよい。例えば、画像変換部３が、３角メッシュを２次元に展開する際に、上記のような伸び率を用いて３次元画像を２次元ロール指紋の形状に近い形状にして展開してもよい。または、画像変換部３は、３次元画像を図形に投影させることにより２次元画像化する場合、展開した際に２次元ロール指紋の形状となるような図形を用いることにより、３次元画像を２次元ロール指紋の形状に近い形状にして展開してもよい。
【００３６】
凹凸画像化部５は、３次元形状の指紋部分の凹凸の高さに基づいて、画像変換部３が出力した画像に陰影を付加する（ステップＳ６）。図１０は、指の指紋部分の一部の断面図である。図１０は、具体的には、図３に示す指の、Ｚ軸およびＹ軸を含む平面における断面図の一部である。凹凸画像化部５は、指の指紋部分における凹凸のある基準点からの法線方向（図１０におけるＹ軸方向）の高さに応じて、陰影の濃さを決定し、その陰影を画像変換部３が出力した画像に付加する。
【００３７】
図１１は、陰影が付加された２次元画像の指紋の一部分を示す説明図である。図１１は、図１０に示す断面図に対応している。図１１に示すように、凹凸画像化部５は、例えば、凹凸の高い部分の色が濃く、低い部分の色が薄くなるように画素値を設定する。これにより指紋の隆線が明確に表される。凹凸画像化部５は、２次元画像がテクスチャから構成された場合には、その値を強調等することで指紋の隆線を明確に表現するようにできる。また、凹凸画像化部５は、２次元画像が３次元座標値及びテクスチャの両方から構成された場合には、凹凸及びテクスチャの値から生成した画素値をあわせることで、より指紋の隆線を明確に表すことができる。
【００３８】
本実施形態の指紋画像変換装置は、３次元画像として採取された指紋を２次元画像に変換する。よって、本実施形態の指紋画像変換装置は、２次元ロール指紋採取に習熟したエキスパートの補助がなくてもスリップや歪みがない２次元画像を生成することができる。
【００３９】
また、本実施形態の指紋画像変換装置は、２次元画像を、一般的な２次元ロール指紋の形状と同じ形状となるように整形することができる。これにより、指紋を照合する利用者は、一般的な指紋の認証アルゴリズムを用いて照合することができるため、精度良く照合を行うことができる。
【００４０】
実施形態２．
以下、第２の実施形態（実施形態２）における指紋画像変換システムを、図を用いて説明する。図１２は、指紋画像変換システムの第２の実施形態の構成を示すブロック図である。図１２に示すように、本実施形態の指紋画像変換装置は、撮像部１と、指紋画像変換装置１０と、出力部６と、照合部７と、２Ｄスキャナ８とを備える。指紋画像変換装置１０は、第１の実施形態に示したものと同じであるため、説明を省略する。照合部７は、例えば、特定の演算処理等を行うよう設計されたハードウェア、またはプログラムに従って動作するＣＰＵ（Ｃｅｎｔｒａｌ  Ｐｒｏｃｅｓｓｉｎｇ  Ｕｎｉｔ）等の情報処理装置によって実現される。
【００４１】
撮像部１は、一般的な３Ｄスキャナである。撮像部１は、図３に示したように、例えば、複数台の３Ｄスキャナから構成されており、それぞれが異なる方向から指を撮影する。また、撮像部１は、指の３次元座標情報、および各座標の画素値等を含む３次元画像情報を取得する。
【００４２】
出力部６は、凹凸画像化部５から取得した２次元画像を表示する。出力部６は、例えばディスプレイ装置であるが、画像を表示することができるものであればよい。
【００４３】
２Ｄスキャナ８は、一般的な２Ｄスキャナであり、２次元ロール指紋（例えば遺留指紋）の画像を取得する。
【００４４】
照合部７は、指紋画像変換装置１０が変換した２次元画像と、２Ｄスキャナ８が取得した照合対象の２次元ロール指紋の画像とを照合する。
【００４５】
次に、本実施形態の指紋画像変換システムの動作を説明する。図１３は、本発明による指紋画像変換システムの第２の実施形態の動作を示すフローチャートである。なお、ステップＳ２からステップＳ６は、第１の実施形態と同じであるため、説明を省略する。
【００４６】
撮像部１は、例えば、複数の位置から入力対象の指を撮影する（ステップＳ１）。また、撮像部１は、指の３次元座標情報、および各座標の画素値等を含む３次元画像情報を取得する。
【００４７】
出力部６は、凹凸画像化部５から取得した２次元展開画像を表示する（ステップＳ７）。出力部６は、例えばディスプレイ装置であるが、画像を表示することができるものであればどのようなものでもよい。ディスプレイ装置への出力は、ネットワーク経由で行われてもよい。また、一旦ハードディスクなどの記録媒体を介して、ディスプレイ装置が２次元展開画像を表示してもよい。加えて、出力部６が２次元展開画像を表示することにより、指紋認証の利用者は、例えば、伸び率を再設定することにより２次元ロール指紋の形状に近づけることができる。
【００４８】
照合部７は、指紋画像変換装置１０が変換した２次元画像と、２Ｄスキャナ８が取得した２次元ロール指紋とを照合する（ステップＳ８）。
【００４９】
本実施形態の指紋画像変換システムは、照合対象の２次元ロール指紋の形状と同じ形状となるように整形された２次元画像と２次元ロール指紋とを照合する。これにより、指紋を照合する利用者は、精度良く照合を行うことができる。
【００５０】
図１４は、本発明による指紋画像変換装置の主要部の構成を示すブロック図である。図１４に示すように、本発明による指紋画像変換装置は、指の３次元画像を取得し、当該３次元画像を、当該指の指紋部分を展開した２次元画像に変換する画像変換手段１３を備える。
【００５１】
また、上記の実施形態には、以下の（１）〜（７）に示す指紋画像変換装置および指紋画像変換システムも開示されている。
【００５２】
（１）指紋画像変換装置は、画像変換手段（例えば、画像変換部３）が、指の長手方向に第１の軸を設定し、当該第１の軸と直交する第２の軸を設定し、当該第２の軸の方向に２次元画像を伸ばすことにより、２次元画像を予め定められた形状の２次元画像に整形するように構成されていてもよい。このような指紋画像変換装置によれば、２次元画像を一般的な２次元ロール指紋の形状に近づけることができる。よって、指紋を照合する利用者の作業効率が向上する。
【００５３】
（２）指紋画像変換装置は、画像変換手段が、第２の軸の方向と略平行に２次元画像を切断することにより、２次元画像を複数の帯状部分に分割し、帯状部分にそれぞれ伸び率を設定し、伸張後の帯状部分における第２の軸方向の座標の値が、伸張前の帯状部分における第２の軸方向の座標の値に伸び率を乗算した値になるように帯状部分を伸ばすように構成されていてもよい。このような指紋画像変換装置によれば、指の長手方向にそれぞれ伸び率を設定することにより、様々な形状の２次元ロール指紋に対応できる。
【００５４】
（３）指紋画像変換装置は、画像変換手段が、第２の軸の方向に最も長い帯状部分から指先方向への距離が遠い帯状部分ほど、大きい伸び率を設定するように構成されていてもよい。２次元ロール指紋に比べて３次元画像は指先側ほど細いため、このような指紋画像変換装置は、一般的な２次元ロール指紋に近い形状に整形できる。
【００５５】
（４）指紋画像変換装置は、画像変換手段が、指先方向側の辺が凹んだ形状となるように２次元画像を整形するように構成されていてもよい。このような指紋画像変換装置は、指先方向側の辺が凹んだ形状となっている２次元ロール指紋に対応できる。
【００５６】
（５）指紋画像変換装置は、画像変換手段が、３次元画像を、指の指紋部分を展開した２次元画像に変換する際に、当該２次元画像を、予め定められた形状の２次元画像に変換するように構成されていてもよい。
【００５７】
（６）指紋画像変換装置は、指紋部分の法線方向の凹凸の高さに基づいて、２次元画像に陰影を付加する凹凸画像化手段（例えば、凹凸画像化部５）を備えたように構成されていてもよい。このような指紋画像変換装置によれば、指紋の隆線が明確に表される。
【００５８】
（７）指紋画像変換システムは、指紋画像変換装置（例えば、指紋画像変換装置１０）と、変換された２次元画像を表示する出力手段（例えば、出力部６）と、２次元画像と照合対象の２次元指紋画像とを照合する照合手段（例えば、照合部７）とを備えたように構成されていてもよい。このような指紋画像変換システムによれば、指紋認証の利用者が、照合対象の２次元ロール指紋の形状と同じ形状となるように整形された２次元画像と２次元ロール指紋とを照合することができるので、精度良く照合を行うことができる。
【００５９】
この出願は、２０１３年３月６日に出願された日本出願特願２０１３−０４４２１０を基礎とする優先権を主張し、その開示の全てをここに取り込む。
【００６０】
以上、実施形態を参照して本願発明を説明したが、本願発明は上記実施形態に限定されるものではない。本願発明の構成や詳細には、本願発明のスコープ内で当業者が理解し得る様々な変更をすることができる。
【産業上の利用の可能性】
【００６１】
本発明は、犯罪捜査等における指紋の照合に適用される。
【符号の説明】
【００６２】
１  撮像部
２  ３次元画像化部
３  画像変換部
５  凹凸画像化部
６  出力部
７  照合部
８  ２Ｄスキャナ
１３  画像変換手段
【図１】
2014136369.tif 000003
【図２】
2014136369.tif 000004
【図３】
2014136369.tif 000005
【図４】
2014136369.tif 000006
【図５】
2014136369.tif 000007
【図６】
2014136369.tif 000008
【図７】
2014136369.tif 000009
【図８】
2014136369.tif 000010
【図９】
2014136369.tif 000011
【図１０】
2014136369.tif 000012
【図１１】
2014136369.tif 000013
【図１２】
2014136369.tif 000014
【図１３】
2014136369.tif 000015
【図１４】
2014136369.tif 000016
【国際調査報告】
2014136369.tif 000017
2014136369.tif 000018
2014136369.tif 000019
2014136369.tif 000020